(57)【要約】【課題】射出成形のゲート位置によって外観が損なわれない表示装置を提供する。【解決手段】意匠を形成する表示部１１と、表示部１１上に配置される枠状部材１２であり、表示部１１に接する面である設置面３３と、不透明樹脂で形成され設置面３３の一部を形成する不透明樹脂内端面３１ａを有する不透明樹脂部３１と、透明または半透明樹脂を用いた射出成形により形成され、不透明樹脂内端面３１ａ以外の面を覆いつつ、設置面３３の他部を形成する二つの透明樹脂内端面３２ａ、３２ｂを有する透明樹脂部３２と、を有する枠状部材と、を備える。透明樹脂部３２は、透明または半透明樹脂が流し込まれたゲート３５を有している。ゲート３５は、一の透明樹脂内端面３２ａであり、ゲート３５としての一の透明樹脂内端面３２ａは、不透明樹脂内端面３１ａを侵食するように伸び、且つ他の透明樹脂内端面３２ｂに接続していない。【選択図】図３
2019060612.tif 000002
【特許請求の範囲】
【請求項１】
意匠を形成する表示部と、
前記表示部上に配置される枠状部材であり、前記表示部に接する面である設置面と、不透明樹脂で形成され前記設置面の一部を形成する不透明樹脂内端面を有する不透明樹脂部と、透明または半透明樹脂を用いた射出成形により形成され、前記不透明樹脂内端面以外の面を覆いつつ、前記設置面の他部を形成する二つの透明樹脂内端面を有する透明樹脂部と、を有する枠状部材と、を備え、
前記透明樹脂部は、前記透明または半透明樹脂が流し込まれたゲートを有し、
前記ゲートは、一の前記透明樹脂内端面であり、
前記ゲートとしての前記一の透明樹脂内端面は、前記不透明樹脂内端面を侵食するように伸び、且つ他の前記透明樹脂内端面に接続していないことを特徴とする表示装置。
【請求項２】
前記枠状部材の外周の少なくとも一部を覆うバイザーをさらに備え、
前記ゲートは、前記枠状部材の外周側に位置する前記一の透明樹脂内端面であることを特徴とする請求項１記載の表示装置。
【発明の詳細な説明】
【技術分野】
【０００１】
本発明は、車両に搭載される表示装置に関する。
【背景技術】
【０００２】
車両に搭載される計器や液晶表示装置などの表示装置は、主に運転者に向けて各種の車両情報を伝えるために設けられている。この表示装置には、意匠性を高める目的で、表示領域の周囲に装飾用の枠状部材が配置されている（例えば特許文献１参照）。
【先行技術文献】
【特許文献】
【０００３】
【特許文献１】特開２００9−１２８０９６号公報
【発明の概要】
【発明が解決しようとする課題】
【０００４】
この枠状部材においては、異なる種類の樹脂を用いて射出成形することにより、意匠性を高めることが考えられる。射出成形には、樹脂を金型に流入させるためのゲートが形成される。このため、ゲートの位置によっては、一方の樹脂の領域に他方の樹脂が侵入せざるを得ない場合が生じてしまい、枠状部材全体として統一した外観が得られないという課題があった。
【０００５】
本発明はこのような事情を考慮してなされたもので、射出成形のゲート位置によって外観が損なわれない表示装置を提供することを目的とする。
【課題を解決するための手段】
【０００６】
本発明に係る表示装置は、上述した課題を解決するために、意匠を形成する表示部と、前記表示部上に配置される枠状部材であり、前記表示部に接する面である設置面と、不透明樹脂で形成され前記設置面の一部を形成する不透明樹脂内端面を有する不透明樹脂部と、透明または半透明樹脂を用いた射出成形により形成され、前記不透明樹脂内端面以外の面を覆いつつ、前記設置面の他部を形成する二つの透明樹脂内端面を有する透明樹脂部と、を有する枠状部材と、を備え、前記透明樹脂部は、前記透明または半透明樹脂が流し込まれたゲートを有し、前記ゲートは、一の前記透明樹脂内端面であり、前記ゲートとしての前記一の透明樹脂内端面は、前記不透明樹脂内端面を侵食するように伸び、且つ他の前記透明樹脂内端面に接続していないことを特徴とする。
【発明の効果】
【０００７】
本発明に係る表示装置においては、射出成形のゲート位置によって外観が損なわれない。
【図面の簡単な説明】
【０００８】
【図１】本発明に係る表示装置の一例である液晶表示装置の概略図。
【図２】図１のII−II線に沿う断面図。
【図３】図１のIII−III線に沿う断面図。
【図４】（ａ）は本実施形態における枠状部材のゲート位置以外の断面図、（ｂ）は本実施形態における枠状部材のゲート位置の断面図、（ｃ）は比較例としての枠状部材のゲート位置の断面図。
【発明を実施するための形態】
【０００９】
本発明に係る表示装置の実施形態を添付図面に基づいて説明する。本発明に係る表示装置は、例えば自動車や自動二輪車、建設機械、農業機械などの車両や、船舶などに搭載される表示装置に適用される。本実施形態においては、本発明に係る表示装置が自動車に搭載される液晶表示装置である例を用いて説明する。
【００１０】
図１は、本発明に係る表示装置の一例である液晶表示装置１の概略図である。
【００１１】
図２は、図１のII−II線に沿う断面図である。
【００１２】
図３は、図１のIII−III線に沿う断面図である。
【００１３】
液晶表示装置１（以下、単に「表示装置１」という）は、表示部１１と、枠状部材１２と、バイザー１３と、を有している。
【００１４】
表示部１１は、表示装置１の意匠を形成する、ＴＦＴ（Thin Film Transistor）型の液晶表示パネルである。表示部１１は、所定の計測量（例えば、車両速度）を報知するための画像２０などを表示する。表示部１１は、図示しない回路基板の制御に基づいて、所要の画像２０を表示するようになっている。
【００１５】
枠状部材１２は、表示部１１上に配置される枠状の装飾部材である。なお、枠状部材１２は、他の部材を介して間接的に表示部１１上に配置されてもよい。枠状部材１２は、設置面３３と、不透明樹脂部３１と、透明樹脂部３２と、を有している。枠状部材１２は、二色成形により形成される。具体的には、不透明樹脂部３１は不透明樹脂を用いて一次側で形成され、透明樹脂部３２は透明樹脂を用いて二次側で形成されている。なお、枠状部材１２は、インサート成形により形成されてもよく、枠状部材１２の形状に応じて適した成形方法を選択することができる。また、不透明樹脂部３１は、射出成形以外の方法で形成されてもよい。
【００１６】
設置面３３は、表示部１１に接する面である。不透明樹脂部３１は、設置面３３の一部を形成する端面３１ａを有している。透明樹脂部３２は、図２に示すように、不透明樹脂部３１の端面（不透明樹脂内端面）３１ａ以外の面をドーム状に覆っている。また、透明樹脂部３２は、不透明樹脂部３１とともに設置面３３の他部を形成する二つの端面（透明樹脂内端面）３２ａ、３２ｂを有している。
【００１７】
透明樹脂部３２は、射出成形により形成されるため、図３に示すように、透明樹脂が流し込まれた際に形成されたゲート３５を少なくとも１箇所に有している。ゲート３５は、射出成形後の表示装置１に組み込まれた際には、一の端面３２ａ（一の透明樹脂内端面）となる。ゲート３５としての一の端面３２ａは、不透明樹脂部３１の端面３１ａの一部を侵食するように端面３１ａ方向に伸びている。また、ゲート３５としての一の端面３２ａは、他の端面（他の透明樹脂内端面）３２ｂに接続していない。すなわち、枠状部材１２の幅方向Ｗ（図３）においては、全領域にわたりゲート３５は形成されておらず、不透明樹脂部３１（端面３１ａ）と、透明樹脂部３２（端面３２ａ（ゲート３５）、端面３２ｂ）とが設置面３３を形成している。ゲート３５の幅方向Ｗの長さ（設置面３３における透明樹脂部３２が外縁から内側方向に伸びた長さ）は、射出成形を行うために必要な寸法を有し、例えば３ｍｍ以上である。表示部１１に接する枠状部材１２の幅方向Ｗの長さは、例えば５ｍｍ程度である。
【００１８】
バイザー１３は、図３に示すように、枠状部材１２の外周の少なくとも一部を覆い、表示装置１への外光の入射を防止する遮光部材である。本実施形態においては、ゲート３５を上方から覆うように、枠状部材１２の外周に設けられている。すなわち、ゲート３５は、バイザー１３の位置に合わせて、枠状部材１２の外周側に位置する端面３２ａが不透明樹脂部３１の端面３１ａ方向に伸びている。
【００１９】
ここで、図４（ａ）は本実施形態における枠状部材１２のゲート３５位置以外の断面図であり、（ｂ）は本実施形態における枠状部材１２のゲート３５位置の断面図であり、（ｃ）は比較例としての枠状部材５２のゲート６５位置の断面図である。
【００２０】
本実施形態の枠状部材１２のゲート３５位置以外においては、図４（ａ）に示すように、表示部１１と不透明樹脂部３１の端面３１ａとが接し設置面３３の一部を形成する。このため、表示部１１と枠状部材１２との間に外光などの光が回り込むことがない。その結果、透明樹脂部３２が不透明樹脂部３１に艶感を持たせるよう作用し、ユーザ４０から視認される側（例えば、図4においては枠状部材１２の内周側であり、運転時などに視認される側）からは、表示部１１上に艶感を有する不透明樹脂部３１が配置されているように見える。
【００２１】
また、ゲート３５位置においては、図４（ｂ）に示すように、不透明樹脂部３１の端面３１ａ方向に端面３２ａが一定長さ伸びて、透明樹脂部３２の端面３２ａが不透明樹脂部３１の端面３１ａを侵食している。しかし、ユーザ４０から視認される側の端面３２ｂにはゲート３５を配置しないことにより、ユーザ４０は、図４（ａ）と同様に表示部１１上に艶感を有する不透明樹脂部３１が配置されているように見える。すなわち、ユーザ４０から視認される側においては、不透明樹脂部３１と表示部１１との間に光が回り込み、不透明樹脂部３１が欠けている、または表示部１１から浮いているように見えることがない。これは、バイザー１３でゲート３５位置の枠状部材１２の外周を覆うことにより（図４においては上方から覆うことにより）、より一層効果を得ることができる。つまり、ゲート３５は、バイザー１３側に設定されていることから、ユーザの視覚（視認）方向からはバイザー１３で遮られて見えなくなる。
【００２２】
一方、比較例としての枠状部材５２は、図４（ｃ）に示すように、枠状部材５２の幅方向Ｗの全領域にわたりゲート６５が形成されている。すなわち、ゲート６５位置においては透明樹脂部６２が設置面６３を形成することになる。この場合、光がゲート６５としての不透明樹脂部６１に回り込み、ユーザ４０は、ゲート６５においては不透明樹脂部６１が欠けている、または表示部５１から浮いているように見えてしまう。
【００２３】
このような本実施形態における表示装置１は、ゲート３５の位置と形状を適切に設定したため、枠状部材１２の全領域において、共通した外観を得ることができ、ゲート３５部分が欠けたような印象を与えることを解消することができる。これにより、表示装置１は、射出成形のゲート位置によって外観を損なうことがない。
【００２４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００２５】
例えば、本発明に係る表示装置は、液晶表示装置に限らず、指針式計器や、指針式計器及び液晶表示装置が設けられた表示装置にも適用することができる。また、表示装置に限らず、空調調整用の操作部などの車両内装の装飾部材にも適用することができる。
【００２６】
表示部は、液晶表示パネルに限らず、例えば指針式計器の意匠（文字、記号など）を形成するために設けられる薄板状の文字板や、意匠を形成し且つ表示装置の内部構造を支持するために設けられるケースであってもよい。
【００２７】
透明樹脂部は、スモーク樹脂などの透過率を低減した半透明樹脂により形成されてもよい。
【符号の説明】
【００２８】
１  液晶表示装置（表示装置）
１１、５１  表示部
１２、５２  枠状部材
１３  バイザー
２０  画像
３１、６１  不透明樹脂部
３２、６２  透明樹脂部
３２ａ、３２ｂ  端面
３３、６３  設置面
３５、６５  ゲート
４０  ユーザ
【図１】
2019060612.tif 000003
【図２】
2019060612.tif 000004
【図３】
2019060612.tif 000005
【図４】
2019060612.tif 000006